(57)【要約】【課題】  吐出口部や肩部の外側面の腐食を防止したチューブを提供すること。【解決手段】  アルミニウムにより形成された中空状の胴体部１０１と、胴体部１０１の長さ方向における一端側に設けられており、胴体部１０１よりも径が小さい吐出口部１０３と、吐出口部１０３と胴体部１０１とを連接する肩部１０２と、を備えるチューブ本体１０４を有し、胴体部１０１の長さ方向における他端側を密封したチューブ１００であって、胴体部１０１及び肩部１０２の外側面に塗料が塗布されていることを特徴とするチューブ１００を提供する。【選択図】    図１
2005145474.tif 000002
【特許請求の範囲】
【請求項１】
塑性変形可能な金属からなる中空状の胴体部と、
前記胴体部の一端側に設けられており、前記胴体部よりも径が小さい管状に形成されており、前記胴体部の内部に充填される内容物を吐出する吐出口部と、
前記吐出口部と前記胴体部とを連接する肩部と、を備え、
前記胴体部の他端側を密封したチューブであって、
前記胴体部及び肩部の外側面に、前記胴体部の内部に充填される内容物に対して耐腐食性を有するコーティングが施されていることを特徴とするチューブ。
【請求項２】
前記コーティングは、前記胴体部と前記肩部とで色彩を異なるものにしたことを特徴とする請求項１又は２に記載のチューブ。
【請求項３】
前記コーティングは、前記吐出口部の外側面にも施されていることを特徴とする請求項１又は２に記載のチューブ。
【請求項４】
前記コーティングは、前記肩部と前記吐出口部とで色彩を異なるものにしたことを特徴とする請求項３に記載のチューブ。
【請求項５】
前記コーティングは、塗料であることを特徴とする請求項１又は２に記載のチューブ。
【請求項６】
前記コーティングは、前記胴体部の内側面に施されるものと同一のものであることを特徴とする請求項１乃至６の何れか一項に記載のチューブ
【発明の詳細な説明】
【技術分野】
【０００１】
本発明は、チューブに関し、特に、塑性変形可能な金属からなるチューブに関する。
【背景技術】
【０００２】
従来のチューブ、特に、塑性変形可能な金属からなるチューブの外側面には、この金属の腐食を防止するともに、外部からの衝撃を緩和してチューブの破損を防止し、さらに、チューブの外側に施す印刷の下地となるように、コーティングを施すのが一般的である。
【０００３】
そして、このコーティングについては、中空状の胴体部にのみ施し、肩部や吐出口部には施されていなかった（例えば、特許文献１参照）。
【特許文献１】特開平７−３２９９９２号公報
【発明の開示】
【発明が解決しようとする課題】
【０００４】
しかしながら、中空状の胴体部にのみコーティングを施しただけでは、肩部や吐出口部が腐食する場合があり、特に、中空状の胴体部に金属を腐食させる成分が入っている薬剤等を充填する場合には、吐出口部からその薬剤等が漏れて、その薬剤等が吐出口部や肩部の外側面に付着し、これらの吐出口部や肩部を腐食させる原因ともなっていた。
【０００５】
そこで、本発明は、吐出口部や肩部の外側面の腐食を防止したチューブを提供することを目的とする。
【課題を解決するための手段】
【０００６】
以上の課題を解決するため、本発明は、塑性変形可能な金属からなる中空状の胴体部と、前記胴体部の一端側に設けられており、前記胴体部よりも径が小さい管状に形成されており、前記胴体部の内部に充填される内容物を吐出する吐出口部と、前記吐出口部と前記胴体部とを連接する肩部と、を備え、前記胴体部の他端側を密封したチューブであって、前記胴体部及び肩部の外側面に、前記胴体部の内部に充填される内容物に対して耐腐食性を有するコーティングが施されていることを特徴とするチューブを提供する。
【０００７】
このように、胴体部ばかりでなく肩部の外側面にも充填される内容物に対して耐腐食性を有するコーティングを施すことにより、この肩部の腐食を防止することができる。
【０００８】
なお、このコーティングについては、胴体部と肩部とで色彩を異なるものとすることも可能である。
【０００９】
また、このコーティングについては、吐出口部の外側面にも施すことにより、この吐出口部の腐食も防止することができる。
【００１０】
なお、このコーティングについても、肩部と吐出口部とで色彩を異なるものとすることも可能である。
【００１１】
なお、コーティングについては、胴体部、肩部及び吐出口部の外側面の腐食を防止することができるものであればどのようなものであっても良いが、例えば、塗料を塗布することにより、コーティングを施すことができる。
【００１２】
なお、通常、胴体部の内側面には、胴体部の内部に充填する内容物に対して耐腐食性を有するコーティングを施すので、胴体部の内側面に施されるコーティングと同一のものを胴体部、肩部及び吐出口部の外側面に塗布することにより、耐腐食性を確保することができる。
【発明の効果】
【００１３】
以上のように、本発明については、胴体部ばかりでなく、肩部や吐出口部の外側面にもコーティングが施されているため、肩部や吐出口部の外側面の腐食を防止することができる。
【発明を実施するための最良の形態】
【００１４】
図１は、本発明の一実施形態に係るチューブ１００の正面図である。
【００１５】
本実施形態に係るチューブ１００は、胴体部１０１、肩部１０２及び吐出口部１０３からなるチューブ本体１０４と、蓋１０５と、により構成されている。
【００１６】
本実施形態に係るチューブ本体１０４は、アルミニウムにより構成されており、円筒状に形成された中空状の胴体部１０１の一端側に、この胴体部１０１の中に充填される内容物を吐出する吐出口部１０３と、この吐出口部１０３と胴体部１０１とを連接する肩部１０２と、が形成されている。
【００１７】
吐出口部１０３は、胴体部１０１よりも小径の管状に形成されており、吐出口部１０３の先端１０３ａを開口することにより、胴体部１０１の内部に充填された内容物をこの先端１０３ａから外部に吐出することができるようにされている。
【００１８】
また、吐出口部１０３が胴体部１０１よりも小径に形成されていることから、吐出口部１０３と胴体部１０１とを連接する肩部１０２は、吐出口部１０３との連接部から胴体部１０１の連接部に向かって徐々に径が大きくなるようにテーパーが付けられている。
【００１９】
なお、本実施形態においては、チューブ本体１０４をインパクト成形により一体的に形成している。
【００２０】
また、吐出口部１０３の外側面には、雄ネジ１０３ｂが形成されており、この雄ネジ１０３ｂに、蓋１０５の内側面に形成されている雌ネジを螺合させることにより、蓋１０５をチューブ本体１０４に着脱自在に取り付けることができるようにされている。
【００２１】
胴体部１０１の長さ方向における他端側は、胴体部１０１の内部に内容物を入れた後、折り曲げてカシメを施すことにより密封されている。
【００２２】
ここで、胴体部１０１の内部に入れる内容物としては、薬品、化粧品、食品、接着剤等の流動体を充填する。
【００２３】
そして、本実施形態における胴体部１０１及び肩部１０２の外側面には、塗料を塗布することによりコーティングが施されている。
【００２４】
ここで使用する塗料については、チューブ本体１０４の内部に充填される内容物に対して耐腐食性を有するものであればどのようなものであっても良いが、例えば、ポリエステル樹脂を主原料とした塗料やエポキシ樹脂を主原料とした塗料等を塗布することができる。
【００２５】
このような塗料については、一層ばかりでなく多層となるように塗布することもでき、また、異なる塗料により多層を形成するように塗布することもできる。
【００２６】
また、胴体部１０１に塗布する塗料と肩部１０２に塗布する塗料とを異なるものを使用することもでき、さらに、胴体部１０１に塗布する塗料の色と肩部１０２に塗布する塗料の色とが異なるようにすることも可能である。
【００２７】
なお、本実施形態においては、胴体部１０１及び肩部１０２に塗料を塗布したが、さらに、吐出口部１０３の外側面に塗料を塗布することも可能である。
【００２８】
このような場合には、吐出口部１０３の外側面に塗布する塗料を胴体部１０１又は肩部１０２と異なるものを使用することもでき、また、吐出口部１０３の外側面に塗布する塗料の色と胴体部１０１又は肩部１０２に塗布する塗料の色とが異なるようにすることもできる。
【００２９】
また、本実施形態においては、チューブ本体１０４をアルミニウムにより構成したが、その他にもすず、鉛等の塑性変形可能な金属を使用することも可能であり、さらに、胴体部１０１、肩部１０２及び吐出口部１０３を二種以上の素材により形成することも可能であるが、少なくとも胴体部１０１については、胴体部１０１の内部に充填される内容物を吐出させるために、塑性変形可能な金属により形成する必要がある。
【００３０】
なお、本実施形態においては、塗料によりコーティングを施しているが、塗料の代わりに樹脂等により形成されたフィルムによりコーティングを施しても良い。
【００３１】
また、本実施形態においては、吐出口部１０３に蓋１０５を被せるようにしているが、この蓋１０５については必ずしも必要とされるものではない。
【図面の簡単な説明】
【００３２】
【図１】一実施形態に係るチューブ１００の正面図。
【符号の説明】
【００３３】
１００  チューブ
１０１  胴体部
１０２  肩部
１０３  吐出口部
１０４  チューブ本体
１０５  蓋
【図１】
2005145474.tif 000003